(57)【要約】【課題】  端末との接続を確立できない状態にある基地局装置から、その存在を示す信号が送信される際に、その信号による干渉を抑えること。【解決手段】  端末装置との接続を確立できる状態にある基地局装置と、端末装置との接続を確立できないが存在を示す第１の信号を送信する状態にある他の基地局装置とを含む通信システムにおける基地局装置が与えられる。基地局装置は、端末装置から、他の基地局装置が送信した第１の信号の測定結果に関する情報を受信する。基地局装置は、その測定結果と、他の基地局装置が送信する第１の信号の送信電力の情報とに基づいて、他の基地局装置を端末装置との接続を確立できる状態とすべきかを判定する。そして、基地局装置は、他の基地局装置を端末装置との接続を確立できる状態とすべきと判定した場合に、端末装置との接続を確立できる状態へ移行するように他の基地局装置に対して指示する。【選択図】  図４
2015180000.tif 000002
【特許請求の範囲】
【請求項１】
端末装置との接続を確立できる状態にある基地局装置と、前記端末装置との接続を確立できないが存在を示す第１の信号を送信する状態にある他の基地局装置とを含む通信システムにおける前記基地局装置であって、
前記端末装置から、前記他の基地局装置が送信した前記第１の信号の測定結果に関する情報を受信する受信手段と、
前記測定結果と、前記他の基地局装置が送信する前記第１の信号の送信電力の情報とに基づいて、前記他の基地局装置を前記端末装置との接続を確立できる状態とすべきかを判定する判定手段と、
前記他の基地局装置を前記端末装置との接続を確立できる状態とすべきと判定した場合に、前記端末装置との接続を確立できる状態へ移行するように前記他の基地局装置に対して指示する指示手段と、
を有することを特徴とする基地局装置。
【請求項２】
前記送信電力の情報は、前記他の基地局装置が前記端末装置と接続を確立できる状態である場合に送信する第２の信号の送信電力と、前記第１の信号の送信電力との差分を示す情報であり、
前記測定結果は、前記第１の信号の、前記端末装置における受信電力に関し、
前記判定手段は、前記測定結果の値に前記差分を加えることにより、前記第１の信号が前記第２の信号の送信電力で送信された場合に期待される受信電力に関する値を算出し、その算出の結果が所定の値を超える又は当該所定の値以上である場合に、前記他の基地局装置を前記端末装置との接続を確立できる状態とすべきと判定する、
ことを特徴とする請求項１に記載の基地局装置。
【請求項３】
前記端末装置は、前記測定結果が第２の所定の値を超える又は当該第２の所定の値以上である場合に前記測定結果に関する情報を送信し、
前記基地局装置は、
前記第２の所定の値を前記差分に基づいて特定する特定手段と、
特定した前記第２の所定の値を前記端末装置へ送信する送信手段と、
をさらに有する、
ことを特徴とする請求項２に記載の基地局装置。
【請求項４】
前記通信システムが複数の前記他の基地局装置を含む場合、前記差分は複数の前記他の基地局装置のそれぞれに対して定まり、
前記特定手段は、複数の前記他の基地局装置のそれぞれに対する当該差分の最大値に基づいて、前記第２の所定の値を特定する、
ことを特徴とする請求項３に記載の基地局装置。
【請求項５】
端末装置との接続を確立できる状態にある基地局装置と、前記端末装置との接続を確立できないが存在を示す第１の信号を送信する状態にある他の基地局装置とを含む通信システムにおける前記基地局装置であって、
前記他の基地局装置が送信する前記第１の信号の送信電力の情報を前記端末装置へ送信する送信手段と、
前記他の基地局装置からの前記第１の信号の前記端末装置における測定の結果が所定の条件を満たしていると当該端末装置が前記送信電力の情報に基づいて判定した場合に、当該端末装置から送信される第２の信号を受信する受信手段と、
前記第２の信号を受信した場合に、前記端末装置との接続を確立できる状態へ移行するように前記他の基地局装置に対して指示する指示手段と、
を有することを特徴とする基地局装置。
【請求項６】
前記送信電力の情報は、前記他の基地局装置が前記端末装置と接続を確立できる状態である場合に送信する第３の信号の送信電力と、前記第１の信号の送信電力との差分を示す情報であり、
前記端末装置における前記測定は、前記第１の信号の受信電力に関する値の測定に関し、
前記所定の条件は、前記端末装置における前記測定の結果の値に前記差分を加えた値が所定の値を超えている又は当該所定の値以上であることである、
ことを特徴とする請求項５に記載の基地局装置。
【請求項７】
端末装置との接続を確立できる状態にある基地局装置と、前記端末装置との接続を確立できないが存在を示す第１の信号を送信する状態にある他の基地局装置とを含む通信システムにおける前記基地局装置であって、
前記他の基地局装置が送信する前記第１の信号の送信電力の情報を前記端末装置へ送信する送信手段と、
前記他の基地局装置からの前記第１の信号の前記端末装置における測定の結果に関する値を含む第２の信号を受信する受信手段と、
前記第２の信号を受信した場合に、前記測定の結果に関する値に基づいて、前記他の基地局装置を前記端末装置との接続を確立できる状態とすべきかを判定する判定手段と、
前記他の基地局装置を前記端末装置との接続を確立できる状態とすべきと判定した場合に、前記端末装置との接続を確立できる状態へ移行するように前記他の基地局装置に対して指示する指示手段と、
を有し、
前記送信電力の情報は、前記他の基地局装置が前記端末装置と接続を確立できる状態である場合に送信する第３の信号の送信電力と、前記第１の信号の送信電力との差分を示す情報であり、
前記端末装置における前記測定は、前記第１の信号の受信電力に関する値の測定に関し、
前記測定の結果に関する値は、前記第１の信号の受信電力に関する値に前記差分を加えた値であり、
前記判定手段は、前記測定の結果に関する値が所定の値を超える又は当該所定の値以上である場合に、前記他の基地局装置を前記端末装置との接続を確立できる状態とすべきと判定する、
ことを特徴とする基地局装置。
【請求項８】
前記第１の信号の送信電力を決定する決定手段と、
決定した送信電力を前記他の基地局装置へ通知する通知手段と、
をさらに有することを特徴とする請求項１から７のいずれか１項に記載の基地局装置。
【請求項９】
前記他の基地局装置から前記第１の信号の送信電力の情報を取得する取得手段をさらに有する、
ことを特徴とする請求項１から７のいずれか１項に記載の基地局装置。
【請求項１０】
前記通信システムが複数の前記他の基地局装置を含む場合、前記第１の信号の送信電力は、複数の前記他の基地局装置のそれぞれに対して個別に定められる、
ことを特徴とする請求項１から９のいずれか１項に記載の基地局装置。
【請求項１１】
複数の前記他の基地局装置に含まれる第１の基地局装置についての前記第１の信号の送信電力が、複数の前記他の基地局装置に含まれる第２の基地局装置からの要求に基づいて変更される、
ことを特徴とする請求項１０に記載の基地局装置。
【請求項１２】
前記第２の基地局装置は、当該第２の基地局装置に接続される端末装置の通信品質に基づいて、前記要求を前記第１の基地局装置と前記基地局装置との少なくともいずれかへ送信する、
ことを特徴とする請求項１１に記載の基地局装置。
【請求項１３】
端末装置との接続を確立できる状態にある基地局装置と、前記端末装置との接続を確立できないが存在を示す第１の信号を送信する状態にある他の基地局装置とを含む通信システムにおける前記端末装置であって、
前記基地局装置から、前記他の基地局装置が送信する前記第１の信号の送信電力の情報を取得する取得手段と、
前記他の基地局装置が送信した前記第１の信号を測定する測定手段と、
前記送信電力の情報に基づいて、前記測定の結果が所定の条件を満たしているかを判定する判定手段と、
前記測定の結果が所定の条件を満たしていると判定した場合に、前記測定の結果に関する情報を含む第２の信号を前記基地局装置へ送信する送信手段と、
を有することを特徴とする端末装置。
【請求項１４】
前記送信電力の情報は、前記他の基地局装置が前記端末装置と接続を確立できる状態である場合に送信する第３の信号の送信電力と、前記第１の信号の送信電力との差分を示す情報であり、
前記測定は、前記第１の信号の、前記端末装置における受信電力に関する値の測定に関し、
前記所定の条件は、前記測定の結果の値に前記差分を加えた値が所定の値を超える又は当該所定の値以上であることである、
ことを特徴とする請求項１３に記載の端末装置。
【請求項１５】
前記通信システムが複数の前記他の基地局装置を含む場合、前記第１の信号の送信電力は、複数の前記他の基地局装置のそれぞれに対して個別に定められ、
取得手段は、前記基地局装置から、複数の前記他の基地局装置のそれぞれが送信する前記第１の信号の、それぞれの送信電力の情報を取得し、
前記測定手段は、複数の前記他の基地局装置のそれぞれが送信した前記第１の信号を測定し、
前記判定手段は、複数の前記他の基地局装置のそれぞれについての前記送信電力の情報に基づいて、複数の前記他の基地局装置に関する前記測定の結果のそれぞれが所定の条件を満たしているかを判定する、
ことを特徴とする請求項１３又は１４に記載の端末装置。
【請求項１６】
前記第２の信号は、前記端末装置との接続を確立できる状態へ移行するように前記他の基地局装置に対して指示するための契機を前記基地局装置に与える、
ことを特徴とする請求項１３から１５のいずれか１項に記載の端末装置。
【請求項１７】
端末装置との接続を確立できる状態にある基地局装置と、前記端末装置との接続を確立できないが存在を示す第１の信号を送信する状態にある他の基地局装置とを含む通信システムにおける前記端末装置であって、
前記基地局装置から、前記他の基地局装置が送信する前記第１の信号の送信電力の情報を取得する取得手段と、
前記他の基地局装置が送信した前記第１の信号を測定する測定手段と、
測定の結果に関する値を含む第２の信号を前記基地局装置へ送信する送信手段と、
を有し、
前記送信電力の情報は、前記他の基地局装置が前記端末装置と接続を確立できる状態である場合に送信する第３の信号の送信電力と、前記第１の信号の送信電力との差分を示す情報であり、
前記端末装置における前記測定は、前記第１の信号の受信電力に関する値の測定に関し、
前記測定の結果に関する値は、前記測定の結果の値に前記差分を加えた値である、
ことを特徴とする端末装置。
【請求項１８】
端末装置との接続を確立できる状態にある基地局装置と、前記端末装置との接続を確立できないが存在を示す第１の信号を送信する状態にある他の基地局装置とを含む通信システムにおける前記基地局装置の制御方法であって、
受信手段が、前記端末装置から、前記他の基地局装置が送信した前記第１の信号の測定結果に関する情報を受信する受信工程と、
判定手段が、前記測定結果と、前記他の基地局装置が送信する前記第１の信号の送信電力の情報とに基づいて、前記他の基地局装置を前記端末装置との接続を確立できる状態とすべきかを判定する判定工程と、
指示手段が、前記他の基地局装置を前記端末装置との接続を確立できる状態とすべきと判定した場合に、前記端末装置との接続を確立できる状態へ移行するように前記他の基地局装置に対して指示する指示工程と、
を有することを特徴とする制御方法。
【請求項１９】
端末装置との接続を確立できる状態にある基地局装置と、前記端末装置との接続を確立できないが存在を示す第１の信号を送信する状態にある他の基地局装置とを含む通信システムにおける前記基地局装置の制御方法であって、
送信手段が、前記他の基地局装置が送信する前記第１の信号の送信電力の情報を前記端末装置へ送信する送信工程と、
受信手段が、前記他の基地局装置からの前記第１の信号の前記端末装置における測定の結果が所定の条件を満たしていると当該端末装置が前記送信電力の情報に基づいて判定した場合に、当該端末装置から送信される第２の信号を受信する受信工程と、
指示手段が、前記第２の信号を受信した場合に、前記端末装置との接続を確立できる状態へ移行するように前記他の基地局装置に対して指示する指示工程と、
を有することを特徴とする制御方法。
【請求項２０】
端末装置との接続を確立できる状態にある基地局装置と、前記端末装置との接続を確立できないが存在を示す第１の信号を送信する状態にある他の基地局装置とを含む通信システムにおける前記基地局装置の制御方法であって、
送信手段が、前記他の基地局装置が送信する前記第１の信号の送信電力の情報を前記端末装置へ送信する送信工程と、
受信手段が、前記他の基地局装置からの前記第１の信号の前記端末装置における測定の結果に関する値を含む第２の信号を受信する受信工程と、
判定手段が、前記第２の信号を受信した場合に、前記測定の結果に関する値に基づいて、前記他の基地局装置を前記端末装置との接続を確立できる状態とすべきかを判定する判定工程と、
指示手段が、前記他の基地局装置を前記端末装置との接続を確立できる状態とすべきと判定した場合に、前記端末装置との接続を確立できる状態へ移行するように前記他の基地局装置に対して指示する指示工程と、
を有し、
前記送信電力の情報は、前記他の基地局装置が前記端末装置と接続を確立できる状態である場合に送信する第３の信号の送信電力と、前記第１の信号の送信電力との差分を示す情報であり、
前記端末装置における前記測定は、前記第１の信号の受信電力に関する値の測定に関し、
前記測定の結果に関する値は、前記第１の信号の受信電力に関する値に前記差分を加えた値であり、
前記判定工程では、前記測定の結果に関する値が所定の値を超える又は当該所定の値以上である場合に、前記他の基地局装置を前記端末装置との接続を確立できる状態とすべきと判定する、
ことを特徴とする制御方法。
【請求項２１】
端末装置との接続を確立できる状態にある基地局装置と、前記端末装置との接続を確立できないが存在を示す第１の信号を送信する状態にある他の基地局装置とを含む通信システムにおける前記端末装置の制御方法であって、
取得手段が、前記基地局装置から、前記他の基地局装置が送信する前記第１の信号の送信電力の情報を取得する取得工程と、
測定手段が、前記他の基地局装置が送信した前記第１の信号を測定する測定工程と、
判定手段が、前記送信電力の情報に基づいて、前記測定の結果が所定の条件を満たしているかを判定する判定工程と、
送信手段が、前記測定の結果が所定の条件を満たしていると判定した場合に、前記測定の結果に関する情報を含む第２の信号を前記基地局装置へ送信する送信工程と、
を有することを特徴とする制御方法。
【請求項２２】
端末装置との接続を確立できる状態にある基地局装置と、前記端末装置との接続を確立できないが存在を示す第１の信号を送信する状態にある他の基地局装置とを含む通信システムにおける前記端末装置の制御方法であって、
取得手段が、前記基地局装置から、前記他の基地局装置が送信する前記第１の信号の送信電力の情報を取得する取得工程と、
測定手段が、前記他の基地局装置が送信した前記第１の信号を測定する測定工程と、
送信手段が、測定の結果に関する値を含む第２の信号を前記基地局装置へ送信する送信工程と、
を有し、
前記送信電力の情報は、前記他の基地局装置が前記端末装置と接続を確立できる状態である場合に送信する第３の信号の送信電力と、前記第１の信号の送信電力との差分を示す情報であり、
前記端末装置における前記測定は、前記第１の信号の受信電力に関する値の測定に関し、
前記測定の結果に関する値は、前記測定の結果の値に前記差分を加えた値である、
ことを特徴とする制御方法。
【請求項２３】
端末装置との接続を確立できる状態にある基地局装置と、前記端末装置との接続を確立できないが存在を示す第１の信号を送信する状態にある他の基地局装置とを含む通信システムにおける前記基地局装置に備えられたコンピュータに、
前記端末装置から、前記他の基地局装置が送信した前記第１の信号の測定結果に関する情報を受信する受信工程と、
前記測定結果と、前記他の基地局装置が送信する前記第１の信号の送信電力の情報とに基づいて、前記他の基地局装置を前記端末装置との接続を確立できる状態とすべきかを判定する判定工程と、
前記他の基地局装置を前記端末装置との接続を確立できる状態とすべきと判定した場合に、前記端末装置との接続を確立できる状態へ移行するように前記他の基地局装置に対して指示する指示工程と、
を実行させるためのプログラム。
【請求項２４】
端末装置との接続を確立できる状態にある基地局装置と、前記端末装置との接続を確立できないが存在を示す第１の信号を送信する状態にある他の基地局装置とを含む通信システムにおける前記基地局装置に備えられたコンピュータに、
前記他の基地局装置が送信する前記第１の信号の送信電力の情報を前記端末装置へ送信する送信工程と、
前記他の基地局装置からの前記第１の信号の前記端末装置における測定の結果が所定の条件を満たしていると当該端末装置が前記送信電力の情報に基づいて判定した場合に、当該端末装置から送信される第２の信号を受信する受信工程と、
前記第２の信号を受信した場合に、前記端末装置との接続を確立できる状態へ移行するように前記他の基地局装置に対して指示する指示工程と、
を実行させるためのプログラム。
【請求項２５】
端末装置との接続を確立できる状態にある基地局装置と、前記端末装置との接続を確立できないが存在を示す第１の信号を送信する状態にある他の基地局装置とを含む通信システムにおける前記基地局装置に備えられたコンピュータに、
前記他の基地局装置が送信する前記第１の信号の送信電力の情報を前記端末装置へ送信する送信工程と、
前記他の基地局装置からの前記第１の信号の前記端末装置における測定の結果に関する値を含む第２の信号を受信する受信工程と、
前記第２の信号を受信した場合に、前記測定の結果に関する値に基づいて、前記他の基地局装置を前記端末装置との接続を確立できる状態とすべきかを判定する判定工程と、
前記他の基地局装置を前記端末装置との接続を確立できる状態とすべきと判定した場合に、前記端末装置との接続を確立できる状態へ移行するように前記他の基地局装置に対して指示する指示工程と、
を実行させるためのプログラムであって、
前記送信電力の情報は、前記他の基地局装置が前記端末装置と接続を確立できる状態である場合に送信する第３の信号の送信電力と、前記第１の信号の送信電力との差分を示す情報であり、
前記端末装置における前記測定は、前記第１の信号の受信電力に関する値の測定に関し、
前記測定の結果に関する値は、前記第１の信号の受信電力に関する値に前記差分を加えた値であり、
前記判定工程では、前記測定の結果に関する値が所定の値を超える又は当該所定の値以上である場合に、前記他の基地局装置を前記端末装置との接続を確立できる状態とすべきと判定する、
ことを特徴とするプログラム。
【請求項２６】
端末装置との接続を確立できる状態にある基地局装置と、前記端末装置との接続を確立できないが存在を示す第１の信号を送信する状態にある他の基地局装置とを含む通信システムにおける前記端末装置に備えられたコンピュータに、
前記基地局装置から、前記他の基地局装置が送信する前記第１の信号の送信電力の情報を取得する取得工程と、
前記他の基地局装置が送信した前記第１の信号を測定する測定工程と、
前記送信電力の情報に基づいて、前記測定の結果が所定の条件を満たしているかを判定する判定工程と、
前記測定の結果が所定の条件を満たしていると判定した場合に、前記測定の結果に関する情報を含む第２の信号を前記基地局装置へ送信する送信工程と、
を実行させるためのプログラム。
【請求項２７】
端末装置との接続を確立できる状態にある基地局装置と、前記端末装置との接続を確立できないが存在を示す第１の信号を送信する状態にある他の基地局装置とを含む通信システムにおける前記端末装置に備えられたコンピュータに、
前記基地局装置から、前記他の基地局装置が送信する前記第１の信号の送信電力の情報を取得する取得工程と、
前記他の基地局装置が送信した前記第１の信号を測定する測定工程と、
測定の結果に関する値を含む第２の信号を前記基地局装置へ送信する送信工程と、
を実行させるプログラムであって、
前記送信電力の情報は、前記他の基地局装置が前記端末装置と接続を確立できる状態である場合に送信する第３の信号の送信電力と、前記第１の信号の送信電力との差分を示す情報であり、
前記端末装置における前記測定は、前記第１の信号の受信電力に関する値の測定に関し、
前記測定の結果に関する値は、前記測定の結果の値に前記差分を加えた値である、
ことを特徴とするプログラム。
【発明の詳細な説明】
【技術分野】
【０００１】
本発明は無線通信システムにおける基地局装置の制御技術に関する。
【背景技術】
【０００２】
第３世代パートナーシッププロジェクト（３ＧＰＰ）において、大セル（マクロセル）のカバレッジ内に異なる周波数帯域を使用する小セル（スモールセル）を多数設置することが議論されている（非特許文献１参照）。例えば、図１の例のように、２ＧＨｚ帯の周波数帯域を使用するマクロセルのカバレッジエリア内に、３．５ＧＨｚ帯の周波数帯域を使用するスモールセルが複数配置される。
【０００３】
ここで、スモールセル基地局が常に端末との接続を確立できる状態で待ち受けていると、接続相手の端末が存在しないにも関わらず、多くの電力を消費してしまうことが考えられる。このため、接続相手の端末がいないスモールセル基地局については、端末との接続を確立できないような状態（オフ状態）とすることが考えられる。ただし、このようなスモールセル基地局は、端末が接近するなどの場合には、接続を確立できる状態（オン状態）に戻ることが重要であり、そのためには、スモールセル基地局が存在することを端末に知らせることが重要となる。このため、３ＧＰＰにおいては、端末との接続を確立できないオフ状態にあるスモールセル基地局が、ｄｉｓｃｏｖｅｒｙ  ｓｉｇｎａｌという信号を送信することにより、自身の存在を端末に知らせることが検討されている（非特許文献２参照）。
【０００４】
端末は、ｄｉｓｃｏｖｅｒｙ  ｓｉｇｎａｌを受信することにより、スモールセル基地局が近隣に存在することを知ることができ、さらに、その基地局との同期の確立やチャネル情報の取得など、そのスモールセルとの接続に要する処理を実行することができる。これにより、スモールセルがオン状態へと移行した後に、接続が確立されるまでの時間を短縮することが可能となる（非特許文献２参照）。
【先行技術文献】
【非特許文献】
【０００５】
【非特許文献１】３ＧＰＰ  ＴＲ３６．８１４  Ｖ９．０．０
【非特許文献２】３ＧＰＰ  ＴＲ３６．８７２  Ｖ１２．１．０
【発明の概要】
【発明が解決しようとする課題】
【０００６】
上述のｄｉｓｃｏｖｅｒｙ  ｓｉｇｎａｌは、オフ状態にあるスモールセル基地局の存在を端末に知らせることができる点で有用である一方で、他の基地局が送信した信号に干渉を与えうるという問題があった。すなわち、スモールセルが密に配置される場合、スモールセル基地局同士は同じ周波数帯域を用いるため、隣接するスモールセルで基地局から端末へ送信された信号に対して、ｄｉｓｃｏｖｅｒｙ  ｓｉｇｎａｌが干渉してしまうという課題があった。また、複数のオフ状態のスモールセル基地局がそれぞれｄｉｓｃｏｖｅｒｙ  ｓｉｇｎａｌを送信するため、スモールセル基地局が密に配置される場合に、その干渉の影響が大きくなりうるという課題があった。
【０００７】
本発明は上記課題に鑑みてなされたものであり、端末との接続を確立できない状態にある基地局装置から、その存在を示す信号が送信される際の、その信号による干渉を抑えることを目的とする。
【課題を解決するための手段】
【０００８】
上記目的を達成するため、本発明による基地局装置は、端末装置との接続を確立できる状態にある基地局装置と、前記端末装置との接続を確立できないが存在を示す第１の信号を送信する状態にある他の基地局装置とを含む通信システムにおける前記基地局装置であって、前記端末装置から、前記他の基地局装置が送信した前記第１の信号の測定結果に関する情報を受信する受信手段と、前記測定結果と、前記他の基地局装置が送信する前記第１の信号の送信電力の情報とに基づいて、前記他の基地局装置を前記端末装置との接続を確立できる状態とすべきかを判定する判定手段と、前記他の基地局装置を前記端末装置との接続を確立できる状態とすべきと判定した場合に、前記端末装置との接続を確立できる状態へ移行するように前記他の基地局装置に対して指示する指示手段と、を有する。
【０００９】
また、上記目的を達成するため、本発明による別の基地局装置は、端末装置との接続を確立できる状態にある基地局装置と、前記端末装置との接続を確立できないが存在を示す第１の信号を送信する状態にある他の基地局装置とを含む通信システムにおける前記基地局装置であって、前記他の基地局装置が送信する前記第１の信号の送信電力の情報を前記端末装置へ送信する送信手段と、前記他の基地局装置からの前記第１の信号の前記端末装置における測定の結果が所定の条件を満たしていると当該端末装置が前記送信電力の情報に基づいて判定した場合に、当該端末装置から送信される第２の信号を受信する受信手段と、前記第２の信号を受信した場合に、前記端末装置との接続を確立できる状態へ移行するように前記他の基地局装置に対して指示する指示手段と、を有する。
【００１０】
また、上記目的を達成するため、本発明によるさらに別の基地局装置は、端末装置との接続を確立できる状態にある基地局装置と、前記端末装置との接続を確立できないが存在を示す第１の信号を送信する状態にある他の基地局装置とを含む通信システムにおける前記基地局装置であって、前記他の基地局装置が送信する前記第１の信号の送信電力の情報を前記端末装置へ送信する送信手段と、前記他の基地局装置からの前記第１の信号の前記端末装置における測定の結果に関する値を含む第２の信号を受信する受信手段と、前記第２の信号を受信した場合に、前記測定の結果に関する値に基づいて、前記他の基地局装置を前記端末装置との接続を確立できる状態とすべきかを判定する判定手段と、前記他の基地局装置を前記端末装置との接続を確立できる状態とすべきと判定した場合に、前記端末装置との接続を確立できる状態へ移行するように前記他の基地局装置に対して指示する指示手段と、を有し、前記送信電力の情報は、前記他の基地局装置が前記端末装置と接続を確立できる状態である場合に送信する第３の信号の送信電力と、前記第１の信号の送信電力との差分を示す情報であり、前記端末装置における前記測定は、前記第１の信号の受信電力に関する値の測定に関し、前記測定の結果に関する値は、前記第１の信号の受信電力に関する値に前記差分を加えた値であり、前記判定手段は、前記測定の結果に関する値が所定の値を超える又は当該所定の値以上である場合に、前記他の基地局装置を前記端末装置との接続を確立できる状態とすべきと判定する、ことを特徴とする。
【００１１】
また、上記目的を達成するため、本発明による端末装置は、端末装置との接続を確立できる状態にある基地局装置と、前記端末装置との接続を確立できないが存在を示す第１の信号を送信する状態にある他の基地局装置とを含む通信システムにおける前記端末装置であって、前記基地局装置から、前記他の基地局装置が送信する前記第１の信号の送信電力の情報を取得する取得手段と、前記他の基地局装置が送信した前記第１の信号を測定する測定手段と、前記送信電力の情報に基づいて、前記測定の結果が所定の条件を満たしているかを判定する判定手段と、前記測定の結果が所定の条件を満たしていると判定した場合に、所定の条件が満たされたことを示す第２の信号を前記基地局装置へ送信する送信手段と、を有する。
【００１２】
また、上記目的を達成するため、本発明による別の端末装置は、端末装置との接続を確立できる状態にある基地局装置と、前記端末装置との接続を確立できないが存在を示す第１の信号を送信する状態にある他の基地局装置とを含む通信システムにおける前記端末装置であって、前記基地局装置から、前記他の基地局装置が送信する前記第１の信号の送信電力の情報を取得する取得手段と、前記他の基地局装置が送信した前記第１の信号を測定する測定手段と、測定の結果に関する値を含む第２の信号を前記基地局装置へ送信する送信手段と、を有し、前記送信電力の情報は、前記他の基地局装置が前記端末装置と接続を確立できる状態である場合に送信する第３の信号の送信電力と、前記第１の信号の送信電力との差分を示す情報であり、前記端末装置における前記測定は、前記第１の信号の受信電力に関する値の測定に関し、前記測定の結果に関する値は、前記測定の結果の値に前記差分を加えた値である、ことを特徴とする。
【発明の効果】
【００１３】
本発明によれば、端末との接続を確立できない状態にある基地局装置から、その存在を示す信号が送信される際に、その信号による干渉を抑えることができる。
【図面の簡単な説明】
【００１４】
【図１】それぞれ異なる周波数帯域を使用するマクロセルとスモールセルとの配置例を示す概念図。
【図２】マクロ基地局、スモールセル基地局および端末のハードウェア構成例を示すブロック図。
【図３】実施形態１に係るマクロ基地局、スモールセル基地局および端末の機能構成例を示すブロック図。
【図４】実施形態１及び実施形態２に係る処理の流れを示すシーケンス図。
【図５】実施形態２に係るマクロ基地局、スモールセル基地局および端末の機能構成例を示すブロック図。
【発明を実施するための形態】
【００１５】
以下、添付図面を参照して本発明の実施の形態を詳細に説明する。
【００１６】
（無線通信システム）
本実施形態に係る無線通信システムは、例えば、図１に示すような構成を有する。すなわち、１つのマクロセルに、マクロセルと異なる周波数帯を用いる複数のスモールセルが含まれているような構成である。なお、図１では、簡単のため、スモールセルが離れた場所に２つのみ存在している状態を示しているが、これに限られない。例えば、スモールセルは２つ以上の任意の数だけ存在し、あるセルの基地局が送信した信号が他のセルにおいて干渉する程度の近接した位置に配置されうる。
【００１７】
本実施形態では、上述のように、スモールセル基地局は、その状態を、端末との間で接続を確立できるオン状態と、接続を確立できないオフ状態との間で、交互に移行しながら、オン状態において端末との間の接続を確立して通信を行う。なお、ここで言う「オフ状態」のセルは、例えば、非特許文献２に記載の「ｔｕｒｎｅｄ−ｏｆｆ  ｃｅｌｌ」であり、端末との間の接続を確立できる状態ではないが、ｄｉｓｃｏｖｅｒｙ  ｓｉｇｎａｌ（ＤＳ）が送信される状態にあるセルのことを指す。ＤＳは、近傍に存在する端末に対して、そのＤＳを送信した基地局が自身の存在を示すための信号である。すなわち、端末がそのＤＳを検出することにより、オフ状態の基地局が近傍に存在することを認識することができる。なお、ＤＳは、端末がそのオフ状態の基地局に接続するためのいくつかの処理を実行するのにも使用されうる。例えば、端末は、ＤＳを用いて、同期確立及びチャネル情報の取得を行う。
【００１８】
なお、端末がＤＳを受信するのに先立って、マクロ基地局から、そのマクロ基地局が展開するマクロセルに隣接する（又は含まれる）スモールセルのリストと、ＤＳの設定情報が通知されてもよい。ＤＳの設定情報は、例えば、サブフレーム設定、スクランブリングＩＤ、サイクリックシフトＩＤ、リソース設定などを含む。端末は、このマクロ基地局からの情報に従って、スモールセルからのＤＳを検出し、同期の確立及びチャネル情報の取得を行う。
【００１９】
ここで、チャネル情報は、例えば平均受信電力を示し、端末は、例えば、平均受信電力が所定の条件を満たす場合に、測定結果をマクロ基地局へ通知する。ここで、所定の条件とは、例えば、平均受信電力が所定の値を超えている又は所定の値以上であることである。この場合、マクロ基地局は、測定結果を受信したことにより、端末がスモールセルに接続すべき状態にあることを認識することができる。このため、マクロ基地局は、オフ状態のスモールセル基地局に対して、端末との接続を確立できるオン状態へ移行するように指示を送信する。この指示を受信したことにより、スモールセル基地局はオン状態へと移行し、端末との接続を確立できる状態となる。そして、端末は、オン状態となったスモールセル基地局との間で所定の処理を実行して、接続を確立することが可能となる。
【００２０】
このように、スモールセル基地局は、オフ状態において電力消費を削減しながら、自らの存在を示す信号であるＤＳを送信することにより、端末がスモールセル基地局の存在を認識することができるようにすることができる。しかしながら、上述のように、オフ状態のスモールセル基地局が送信するＤＳは、他のスモールセル基地局が送信する信号に干渉する場合がある。そして、この問題は、スモールセルが局所的に多数配置される場合に、より顕著となる。
【００２１】
これに対して、スモールセル基地局は、送信するＤＳの送信電力を下げることにより、他のスモールセル基地局が送信した信号に対する干渉を抑えることができる。しかしながら、このようにスモールセル基地局が、送信するＤＳの送信電力を下げると、端末がこのスモールセル基地局が存在することを認識できる範囲が狭くなるという問題がある。また、仮に端末がＤＳを検出できたとしても、その受信電力が十分なレベルに達しない限りは、ＤＳが、マクロ基地局に対して、スモールセル基地局をオン状態とするための契機を与える（例えば測定報告を送信する）処理を行わないことが考えられる。この場合、端末がスモールセル基地局と接続を確立する機会が減少し、システム全体としての周波数利用効率が低下しうる。
【００２２】
このため、本実施形態では、ＤＳの送信電力を下げて干渉を抑えながら、端末がスモールセル基地局に接続しにくくなることを防ぐようにする。以下、このような手法について、詳細に説明する。
【００２３】
＜＜実施形態１＞＞
（概要）
本実施形態では、マクロ基地局が、１つ以上のスモールセル基地局のそれぞれが、オン状態において送信する信号の送信電力（信号電力密度）と比べて、オフ状態においてＤＳの送信電力をどの程度下げたかの差分の値に基づき、端末からの測定報告を評価する。例えば、端末が、スモールセル基地局からのＤＳを測定した結果の受信電力に関する値（平均受信電力、受信電力対雑音電力比など）をマクロ基地局に報告する。そして、マクロ基地局は、その報告された値に、上述の差分の値を加算して、スモールセル基地局が接続を確立できる状態での送信電力でＤＳを送信したと仮定した場合に期待される受信電力に関する値を算出する。そして、マクロ基地局は、その算出した結果の値が、所定の値より大きい場合又は所定の値以上である場合に、スモールセル基地局が端末との接続を確立できる状態へと移行すべきであると判定する。そして、その場合に、マクロ基地局は、スモールセル基地局に対して、端末との接続を確立できるオン状態へと移行するように指示を送信する。スモールセル基地局は、その指示を受信するとオン状態へと移行し、端末との間で接続処理を実行し、接続を確立する。
【００２４】
ここで、例えば、マクロ基地局が、ＤＳの送信電力が低減されていない場合に端末が受信電力Ｘ［ｄＢｍ］でＤＳを受信すると、そのＤＳの送信元のスモールセル基地局をオン状態へと移行させる場合の例について説明する。ここで、スモールセル基地局は、ＤＳの送信電力を３ｄＢ低減する。マクロ基地局はこの低減量を例えば自ら決定することにより、又はスモールセル基地局が決定した値の通知を受けることにより知っている。そして、端末は、例えば、ＤＳの受信電力がＹ［ｄＢｍ］であった旨を示す測定報告を、マクロ基地局へ送信する。
【００２５】
マクロ基地局は、この測定報告を受信すると、受信電力Ｙ［ｄＢｍ］に、ＤＳの送信電力の低減量である３［ｄＢ］を加え、Ｙ＋３［ｄＢｍ］の値を算出する。そして、マクロ基地局は、この算出した値Ｙ＋３［ｄＢｍ］が、端末との接続を確立できるオン状態へスモールセル基地局を移行させる基準である受信電力Ｘ［ｄＢｍ］より大きいか、又はそれ以上であるかを判定する。そして、例えばＹ＋３［ｄＢｍ］がＸ［ｄＢｍ］より大きい場合に、マクロ基地局は、スモールセル基地局に対して、オン状態へ移行するように指示を送信する。
【００２６】
なお、端末が測定報告をマクロ基地局へ送信する基準として、スモールセル基地局をオン状態へと移行させるべき受信電力等の値を特定してもよい。例えば、上述の例では、ＤＳの送信電力を低減させない場合は、測定報告を送信する基準を、受信電力がＸ［ｄＢｍ］以上であることとすることができる。このようにすることで、不必要に測定報告がマクロ基地局へ送信されることを防ぐことができる。また、ＤＳの送信電力を３ｄＢ低減させた場合は、測定報告を送信する基準を、受信電力がＸ−３［ｄＢｍ］以上であることとすることができる。すなわち、ＤＳ送信の送信電力が下げられた分だけ、測定報告を送信するための基準の受信電力を低くする。なお、複数のオフ状態のスモールセル基地局が近隣に存在する場合は、それぞれに個別に定められたＤＳの送信電力の低下分を集め、その最大値分だけ、測定報告を送信するための基準を緩和してもよい。例えば、第１のスモールセル基地局のＤＳの送信電力の低減量が３ｄＢで、第２のスモールセル基地局のＤＳの送信電力の低減量が５ｄＢである場合、測定報告を送信するための基準を５ｄＢ下げてもよい。なお、この場合、端末は、第１のスモールセル基地局からのＤＳを基準から５ｄＢ低い電力（例えばＸ−５［ｄＢｍ］）で受信したとしても、測定報告を送信する。しかし、この場合は、この測定報告が示す値（Ｘ−５［ｄＢｍ］）に、第１のスモールセル基地局のＤＳの送信電力の低下分（３［ｄＢ］）を加算した値がＸ−２［ｄＢｍ］であり、Ｘ［ｄＢｍ］に満たない。このため、マクロ基地局は、この場合、第１のスモールセル基地局をオン状態に移行させるべきとは判断しないこととなる。なお、測定報告を送信する基準となる値は、マクロ基地局が特定して、端末に通知する。
【００２７】
（基地局および端末の構成）
続いて、本実施形態に係るマクロ基地局、スモールセル基地局および端末の構成について説明する。
【００２８】
図２は、基地局装置（マクロ基地局、スモールセル基地局）及び端末装置（移動体／固定通信装置）のハードウェア構成例を示す図である。基地局及び端末は、一例において、図２に示すような、同様のハードウェア構成を有し、例えば、ＣＰＵ２０１、ＲＯＭ２０２、ＲＡＭ２０３、外部記憶装置２０４、及び通信装置２０５を有する。基地局及び端末では、例えばＲＯＭ２０２、ＲＡＭ２０３及び外部記憶装置２０４のいずれかに記録された、基地局及び端末の例えば上述の各機能を実現するためのプログラムがＣＰＵ２０１により実行される。そして、基地局及び端末は、例えばＣＰＵ２０１により通信装置２０５を制御して、マクロ基地局若しくはスモールセル基地局と端末との間の通信、又はマクロ基地局とスモールセル基地局との間の基地局間通信を行う。
【００２９】
なお、図２では、基地局及び端末は、１つの通信装置２０５を有するとしているが、例えば、基地局は、基地局間の通信用の通信装置及び端末との間の通信装置を有してもよい。また、端末は、例えば、複数の周波数帯域のそれぞれに対応する複数の通信装置を有していてもよい。
【００３０】
なお、基地局及び端末は、各機能を実行する専用のハードウェアを備えてもよいし、一部をハードウェアで実行し、プログラムを動作させるコンピュータでその他の部分を実行してもよい。また、基地局および端末は、その全機能をコンピュータとプログラムにより実行させてもよい。
【００３１】
図３は、本実施形態に係るマクロ基地局３００、スモールセル基地局３２０、及び端末３４０の機能構成例をそれぞれ示すブロック図である。マクロ基地局３００は、例えば、無線通信部３０１、有線通信部３０２、移行判定部３０３、及び指示部３０４を有する。スモールセル基地局３２０は、例えば、有線通信部３２１、無線通信部３２２、及びオン／オフ制御部３２３を有する。端末３４０は、例えば、無線通信部３４１、ＤＳ測定部３４２、及び測定結果通知部３４３を有する。
【００３２】
なお、以下では、初期的に、スモールセル基地局３２０はオフ状態にあるものとする。すなわち、スモールセル基地局３２０は、自らの存在を示すＤＳを送信するが、端末３４０との間の無線接続を確立できない状態にある。スモールセル基地局３２０がオン状態となるか、オフ状態となるかについては、スモールセル基地局３２０のオン／オフ制御部３２３が制御を行う。オン／オフ制御部３２３は、スモールセル基地局３２０の状態を、例えば、オン状態において接続相手となる端末が存在しない場合はオフ状態へと移行させ、一方で、オフ状態においてマクロ基地局３００からの指示があった場合にオン状態へと移行させる。
【００３３】
マクロ基地局３００の無線通信部３０１と、スモールセル基地局３２０の無線通信部３２２は、それぞれ、端末３４０の無線通信部３４１との間で無線通信を行う。マクロ基地局３００の有線通信部３０２は、スモールセル基地局３２０の有線通信部３２１との間で有線通信を行う。ただし、マクロ基地局３００とスモールセル基地局３２０との間が、無線回線で接続される場合は、有線通信部３０２及び３２１はなくてもよい。この場合は、マクロ基地局３００とスモールセル基地局３２０は、無線通信部３０１及び３２２を介して互いに無線通信を行う。
【００３４】
スモールセル基地局３２０は、初期的には、端末３４０との間の無線接続を確立できないオフ状態であるが、無線通信部３０１を介して自らの存在を示すＤＳを送信し、端末３４０は無線通信部３４１でそのＤＳを受信する。なお、このときのＤＳの送信電力は、ＤＳ送信電力情報（オン状態の信号電力密度からの差分などの情報）３２４に従って制御される。
【００３５】
ここで、マクロ基地局３００も、スモールセル基地局３２０におけるＤＳの送信電力の情報３０５を有する。なお、情報３０５と情報３２４は、スモールセル基地局３２０におけるＤＳの送信電力の低減量について同じ値を含む。例えば、マクロ基地局３００がＤＳの送信電力の低減量を決定し、スモールセル基地局３２０へ通知することにより、スモールセル基地局３２０が情報３２４を更新する。また、スモールセル基地局３２０がＤＳの送信電力の低減量を決定し、マクロ基地局３００へ通知することにより、マクロ基地局３００が情報３０５を更新してもよい。すなわち、マクロ基地局３００とスモールセル基地局３２０の少なくともいずれかが、さらに、ＤＳの送信電力の低減量を決定する不図示の機能を有する。
【００３６】
なお、不図示の第２のスモールセル基地局からの要求が、マクロ基地局３００またはスモールセル基地局３２０のうち、ＤＳの送信電力の低減量を決定する機能を有する基地局において受信されたことに応じて、ＤＳの送信電力の低減量が変更されうる。例えば、第２のスモールセル基地局と接続中の端末が受信する信号に、スモールセル基地局３２０が送信したＤＳが干渉を及ぼす場合に、その干渉が許容量以下となるように、第２のスモールセル基地局がＤＳの送信電力の低下を要求する。そして、マクロ基地局３００またはスモールセル基地局３２０のうち、ＤＳの送信電力の低減量を決定する機能を有する基地局は、この要求を受信すると、第２のスモールセル基地局からの要求に応じて、ＤＳの送信電力の低減量を変更する。そして、ＤＳの送信電力の低減量を決定した基地局は、他方の基地局に対して、この変更後のＤＳの送信電力の低減量の情報を通知する。これにより、あるスモールセルが送信したＤＳが、他のスモールセルにおいて端末が受信する信号に与える干渉量を十分に低く抑え、他のスモールセルにおける通信品質に対する影響を抑えることが可能となる。
【００３７】
端末３４０は、スモールセル基地局３２０からのＤＳを、無線通信部３４１を介して受信すると、そのＤＳをＤＳ測定部３４２へ転送する。なお、端末３４０は、マクロ基地局３００から、スモールセルに関する情報（セルまたは基地局の識別子など）とそのスモールセルにおけるＤＳの情報（サブフレーム設定、スクランブリングＩＤ、サイクリックシフトＩＤ、リソース設定など）を予め受信しうる。また、端末３４０は、マクロ基地局３００から、ＤＳの送信頻度の情報を取得してもよい。これにより、端末３４０は、どのスモールセル基地局から、どのようなＤＳが送信されるかを知ることができる。なお、マクロ基地局３００は、これらのスモールセルに関する情報とＤＳに関する情報とを、事前に各スモールセルから受信して収集しておいてもよいし、また、マクロ基地局３００がこれらの情報を主導して決定してもよい。
【００３８】
ＤＳ測定部３４２は、無線通信部３４１で受信されたＤＳを測定する。具体的には、ＤＳ測定部３４２は、例えば、ＤＳの受信電力に関する値（受信電力、受信電力対雑音電力比など）を測定する。そして、ＤＳ測定部３４２は、その測定結果を測定結果通知部３４３へ渡す。
【００３９】
測定結果通知部３４３は、ＤＳ測定部３４２が測定した結果の値を含む信号を形成し、無線通信部３４１を介してマクロ基地局３００にその信号を送信する。なお、測定結果通知部３４３は、測定結果の値が所定の条件を満たさない場合は、結果の値を含む信号を形成しないようにしてもよい。なお、所定の条件は、例えば、測定結果の値が所定の値を超える、又は所定の値以上であること、でありうる。また、この所定の値は、例えばマクロ基地局３００からの指示に応じて変更されうる。例えば、スモールセル基地局３２０のＤＳの送信電力が３ｄＢ減らされている場合、マクロ基地局３００は、所定の値を３ｄＢ低くするように端末３４０に指示しうる。これにより、マクロ基地局３００は、例えば、スモールセル基地局３２０をオン状態へと移行させるべき場合にのみ、測定結果の通知が行われるようにする。これにより、不必要な測定結果報告が送受信されることを防ぐことができる。
【００４０】
なお、上述の所定の値を、ＤＳの送信電力を低減していないスモールセル基地局３２０をオン状態へと移行させるべき基準となる値から、ＤＳの送信電力の低減量の最大量だけ低減した値としてもよい。すなわち、スモールセル基地局３２０がＤＳの送信電力を可能な限り低減している状態であれば、マクロ基地局３００は測定報告を受信した場合に即そのスモールセル基地局３２０をオン状態に移行させる、という値を、上述の所定の値としてもよい。この場合、スモールセル基地局３２０が送信電力をさらに低減可能な状態でＤＳを送信している場合は、マクロ基地局３００は、測定報告で報告された値と実際のＤＳの送信電力の低減量とから、スモールセル基地局３２０をオン状態へ移行させるかを判定する。すなわち、この場合、マクロ基地局３００は、測定報告を受信しても、そのままスモールセル基地局３２０をオン状態に移行させるべきと判定するわけではなくなる。また、複数のスモールセル基地局がそれぞれ個別に定められた送信電力の低減量でＤＳを送信している場合は、上述の所定の値は、その送信電力の低減量の最大値に応じて定められてもよい。
【００４１】
マクロ基地局３００は、端末３４０からの測定結果を含む信号を無線通信部３０１で受信すると、信号に含まれている測定結果を移行判定部３０３へ転送する。移行判定部３０３は、受け取った測定結果に基づいて、スモールセル基地局３２０をオン状態へと移行させるかを判定する。測定結果がＸ［ｄＢｍ］であり、スモールセル基地局３２０におけるＤＳの送信電力の低減量がＹ［ｄＢ］であり、端末３４０がスモールセル基地局３２０との間で接続を確立すべき基準の受信電力がＺ［ｄＢｍ］である場合、値Ｘ＋Ｙと値Ｚとが比較される。この場合、移行判定部３０３は、Ｘ＋Ｙ≧Ｚ（又はＸ＋Ｙ＞Ｚ）である場合に、スモールセル基地局３２０をオン状態とすべきと判定する。すなわち、移行判定部３０３は、スモールセル基地局が送信電力を低減せずにＤＳを送信したと仮定すると、端末３４０が、スモールセル基地局３２０との間で接続を確立すべき基準の受信電力でそのＤＳを受信できると判断できる。このため、この場合は、移行判定部３０３は、スモールセル基地局３２０をオン状態へ移行させるべきと判定する。移行判定部３０３は、スモールセル基地局３２０をオン状態へ移行させるべきと判定した場合、その旨を指示部３０４へ通知する。指示部３０４は、移行判定部３０３からの通知を受けると、オン状態へ移行すべき旨を示す指示信号を生成し、有線通信部３０２を介して、スモールセル基地局３２０へ送信する。一方、移行判定部３０３は、例えばＸ＋Ｙ＜Ｚであった場合は、スモールセル基地局をオン状態へと移行させるべきではないと判定し、それ以上の処理を行わない。したがって、指示部３０４も、スモールセル基地局３２０へのオン状態へ移行するための指示を行わない。なお、この「指示」は「要求」の形式で行われてもよく、この場合、マクロ基地局３００はこの指示（要求）を送信し、スモールセル基地局３２０は、この要求を受け入れる場合、その旨の応答を返信して、オン状態へと状態を移行させる。
【００４２】
スモールセル基地局３２０は、マクロ基地局３００から、オン状態へ移行するための指示を受信すると、その指示をオン／オフ制御部３２３へ転送する。オン／オフ制御部３２３は、指示を受け付けると、無線通信部３２２を制御して、スモールセル基地局３２０を、端末３４０との接続を確立できるオン状態へと移行させる。この後、スモールセル基地局３２０と端末３４０との間の接続を確立する処理が実行され、スモールセル基地局３２０と端末３４０との間での無線通信が実行される。
【００４３】
なお、この場合、端末３４０は、マクロ基地局３００との間で確立していた接続を切断して、スモールセル基地局３２０にハンドオーバしてもよいし、マクロ基地局３００とスモールセル基地局３２０の両方との間で接続を確立してもよい。また、端末がマクロ基地局３００とスモールセル基地局３２０の両方と通信を行う場合、スモールセル基地局３２０は、マクロ基地局３００から転送されたデータを端末３４０へ送信し、また、端末から受信したデータをマクロ基地局３００へ転送してもよい。これらのいずれの接続形態となるかは、例えばマクロ基地局３００又は他のネットワークノードが決定し、端末に通知される。
【００４４】
オン／オフ制御部３２３は、例えば、端末３４０がスモールセルの圏外に移動した場合など、接続相手の端末が存在しなくなった場合に、電力消費を抑えるため、無線通信部３２２を制御して、スモールセル基地局３２０をオフ状態へと移行させる。なお、このオフ状態への移行は、例えばマクロ基地局３００からの指示に従って行われてもよい。
【００４５】
（処理の流れ）
図４を用いて、本実施形態に係る処理の流れについて説明する。本処理において、まず、スモールセル基地局がオフ状態に移行する。すると、マクロ基地局とスモールセル基地局との間で、ＤＳ設定情報の交換が行われる。一例において、スモールセル基地局がオフ状態において送信するＤＳの送信電力（オン状態の信号電力密度からの差分など）が交換され、場合によっては、送信頻度（周期）などが交換される。ＤＳ設定情報は、マクロ基地局が決定してスモールセル基地局へ通知してもよいし、スモールセル基地局が決定してマクロ基地局へ通知してもよい。また、ＤＳ設定情報は、他のスモールセル基地局からの要求に応じて、その内容が変更されてもよい。例えば、他のスモールセル基地局は、自らに接続されている端末における干渉電力の大きさに基づいて、その干渉電力が所定値以下となるために、どの程度ＤＳの送信電力が下げられるべきかを特定して、その特定した値を含めた要求を送信する。これにより、マクロ基地局とスモールセル基地局との少なくともいずれかは、この要求に応じて、ＤＳの送信電力を特定された値分だけ下げることができる。
【００４６】
マクロ基地局は、ＤＳ設定情報と共に、マクロセルに隣接する（含まれる）スモールセルのうちオフ状態となるスモールセル基地局のＩＤを、例えばリストとして保持するなどにより、管理する。ここで、マクロ基地局は、オフ状態の各スモールセル基地局について、それぞれにおけるＤＳの送信電力の低減量を、スモールセル基地局のＩＤと共に管理する。
【００４７】
ここで、マクロ基地局は、接続中の端末に対してその端末に宛てたデータを送信するなどの一般的な通信を行うと共に、オフ状態となったスモールセル基地局についてのＤＳ設定情報を送信する。ここでのＤＳ設定情報は、例えば、スモールセル基地局のＩＤと関連付けられて送信される。また、ＤＳ設定情報は、例えば、サブフレーム設定、スクランブリングＩＤ、サイクリックシフトＩＤ、リソース設定など、端末がＤＳを観測し、同期確立やチャネル情報を取得するための情報を含む。
【００４８】
端末は、ＤＳ設定情報を受信すると、そのＤＳ設定情報に基づいて、スモールセル基地局から送信されるＤＳを観測する。そして、端末は、そのＤＳに基づいて同期を確立し、チャネル情報を取得する。端末は、この処理により、スモールセル基地局がオン状態へと移行した場合に、接続を確立するのに要する時間を短縮することができる。端末は、チャネル情報に基づいて、例えばＤＳの受信電力に関する値をマクロ基地局へ報告する。なお、この報告は、例えば受信電力が所定の値を超える又は所定の値以上である場合にのみ、なされてもよい。また、報告を送信する基準となる所定の値は、上述のＤＳ設定情報と共に、又はそれとは別に、マクロ基地局から通知されうる。
【００４９】
端末から測定の報告を受けたマクロ基地局は、その報告結果と、ＤＳの送信電力の低減量とに基づいて、スモールセル基地局をオン状態へと移行させるかの移行判定処理を行う。この移行判定処理では、例えば、報告結果に含まれる端末におけるＤＳの受信電力とＤＳの送信電力の低減量とを加算し、その結果が所定値を超える場合に、スモールセル基地局をオン状態へと移行させるように、判定が行われる。
【００５０】
マクロ基地局は、スモールセル基地局をオン状態へと移行させるべきと判定した場合、移行指示をスモールセル基地局へと送信する。なお、この指示は、オン状態への移行要求の形式で送信されてもよい。スモールセル基地局は、この移行要求（指示）を受け入れる旨の応答をマクロ基地局へ送信し、自らの状態をオフ状態からオン状態へと移行させる。その後、スモールセル基地局は、端末との間で、端末が先に確立していた同期やチャネル情報等に基づいて、接続を確立する。
【００５１】
このようにして、オフ状態にある各スモールセル基地局がＤＳの送信電力を低減して与干渉量を抑制しながら、端末がそのオフ状態にあるスモールセル基地局を認識し、そのスモールセル基地局との間で接続を確立する機会を十分に確保することが可能となる。
【００５２】
＜＜実施形態２＞＞
（概要）
本実施形態では、マクロ基地局は、１つ以上のスモールセル基地局のそれぞれが、オン状態において送信する信号の送信電力（信号電力密度）と比べて、オフ状態においてＤＳの送信電力をどの程度下げたかの差分の値を、端末に通知する。そして、端末において、その差分の値を考慮して、各スモールセル基地局からのＤＳの受信電力に関する値（平均受信電力、受信電力対雑音電力比など）が所定の条件を満たしているかを評価する。例えば、端末は、測定した値に、上述の差分の値を加算して、スモールセル基地局が接続を確立できる状態での送信電力でＤＳを送信したと仮定した場合に期待される受信電力に関する値を算出する。そして、端末は、例えば、算出した値を含む報告信号をマクロ基地局へ送信する。マクロ基地局は、この報告信号を受信すると、その値に応じてスモールセル基地局をオン状態へと移行させるべきかを判定する。なお、例えば、端末は、報告信号を送信する基準の値が存在する場合は、算出した値がその基準の値を満たす場合にのみ、マクロ基地局へ報告信号を送信する。ここで、この基準の値が、スモールセル基地局と端末との間で接続を確立すべきとマクロ基地局が判定する基準の値と一致する場合は、マクロ基地局は、その報告信号を受信すると、含まれる値によらずに、スモールセル基地局をオン状態とすべきと判定する。そして、マクロ基地局は、スモールセル基地局をオン状態に移行させるべきと判定すると、そのスモールセル基地局に対して、オン状態に移行させるための指示（要求）を送信する。スモールセル基地局は、その指示を受信するとオン状態へと移行し、端末との間で接続処理を実行し、接続を確立する。
【００５３】
ＤＳの送信電力が低減されていない場合に、端末が受信電力Ｘ［ｄＢｍ］でＤＳを受信すると、そのＤＳの送信元のスモールセル基地局をオン状態へと移行させる場合の例について説明する。なお、ＤＳの送信電力は３ｄＢ低減されるとする。マクロ基地局は、この低減量を知っており、この低減量の情報を端末に通知する。端末は、スモールセル基地局からのＤＳを受信し、その受信電力を測定する。そして、端末は、例えば、その測定した受信電力Ｙ［ｄＢｍ］に、基地局から通知された３［ｄＢ］を加算し、スモールセル基地局がオン状態で送信したと仮定した場合に期待されるＤＳの受信電力であるＹ＋３［ｄＢｍ］を算出する。そして、このＹ＋３［ｄＢｍ］を、測定結果として、マクロ基地局へ通知する。マクロ基地局は、このＹ＋３［ｄＢｍ］が、基準であるＸ［ｄＢｍ］を超えているか、又はそれ以上であるかを判定することにより、スモールセル基地局をオン状態へと移行させるべきかを判定する。マクロ基地局は、例えばＹ＋３＞Ｘである場合に、スモールセル基地局に対して、オン状態へと移行すべきことを示す指示（要求）を送信する。スモールセル基地局は、この指示に応じて、オフ状態からオン状態へと移行し、端末との間での接続を確立する。
【００５４】
なお、上述の加算結果であるＹ＋３［ｄＢｍ］が、基準であるＸ［ｄＢｍ］を超えるか、又はそれ以上であるかの判定は、端末が行ってもよい。すなわち、端末は、例えばＹ＋３≧Ｘである場合にのみ、加算結果Ｙ＋３［ｄＢｍ］を含む測定報告をマクロ基地局へ送信してもよい。これにより、マクロ基地局は、測定報告を受信した場合には、特に移行判定を行う必要なく、スモールセル基地局をオン状態へと移行させるように指示することができる。
【００５５】
（基地局および端末の構成）
続いて、本実施形態に係るマクロ基地局、スモールセル基地局および端末の構成について説明する。なお、本実施形態のマクロ基地局、スモールセル基地局および端末のハードウェア構成例は、実施形態１と同様であるため、説明を省略する。
【００５６】
図５は、本実施形態に係るマクロ基地局３００、スモールセル基地局３２０、及び端末３４０の機能構成例をそれぞれ示すブロック図である。図３と同様に、マクロ基地局３００は、例えば、無線通信部３０１、有線通信部３０２、移行判定部３０３、及び指示部３０４を有する。スモールセル基地局３２０は、例えば、有線通信部３２１、無線通信部３２２、及びオン／オフ制御部３２３を有する。端末３４０は、例えば、無線通信部３４１、ＤＳ測定部３４２、及び測定結果通知部３４３を有する。
【００５７】
スモールセル基地局３２０は、実施形態１と同様に、ＤＳ送信電力情報３２４に従って送信電力を制御しながら、ＤＳを送信する。そして、スモールセル基地局３２０は、マクロ基地局３００からオン状態への移行指示（要求）を受信した場合は、無線通信部３２２を制御して、自らの状態をオフ状態からオン状態へと移行させる。すなわち、スモールセル基地局３２０の各機能は、実施形態１と同様である。
【００５８】
マクロ基地局３００は、実施形態１と異なり、ＤＳ送信電力情報３０５を移行判定には用いず、無線通信部３０１を介して、端末３４０へこの情報を通知する。マクロ基地局３００は、端末３４０から、ＤＳの受信電力に関する値（平均受信電力、受信電力対雑音電力比など）と、通知したＤＳ送信電力情報３０５に含まれるオン状態の送信電力と実際のＤＳの送信電力差分の値との和が報告される。移行判定部３０３は、この和が、所定の値を超える又はそれ以上であるかを判定することにより、スモールセル基地局３２０をオン状態へと移行させるべきかを判定する。そして、移行判定部３０３は、スモールセル基地局３２０をオン状態へと移行させるべきと判定した場合は、その旨を指示部３０４に指示する。
【００５９】
なお、上述の和がスモールセル基地局３２０をオン状態へと移行させるべき基準の所定の値を超える又はそれ以上である場合にのみ端末３４０が報告信号を送信する場合は、移行判定部３０３は、無線通信部３０１において報告信号が受信されたかを判定する。すなわち、この場合は、端末から報告信号を受信したことそのものが、スモールセル基地局３２０をオン状態へと移行させるべきと判断する基準となる。このため、移行判定部３０３は、この場合には、報告信号を受信したことを契機に、指示部３０４に対して、スモールセル基地局３２０をオン状態へと移行させるべきと判定したことを通知する。なお、指示部３０４の処理は、実施形態１と同様である。また、無線通信部３０１及び有線通信部３０２の構成についても、その送信する信号の内容は異なり得るが、実施形態１と同様である。
【００６０】
端末３４０は、まず、マクロ基地局３００から、スモールセル基地局３２０における、ＤＳの送信電力の低減量に関する情報（ＤＳ送信電力情報３４４）を受信する。ここで、複数のオフ状態のスモールセル基地局が存在する場合は、それぞれに定められたＤＳの送信電力の低減量に関する情報が、それぞれのスモールセル基地局のＩＤと関連付けられて受信されてもよい。また、端末３４０は、この時に、スモールセルに関する情報（セルまたは基地局の識別子など）とそのスモールセルにおけるＤＳの情報（サブフレーム設定、スクランブリングＩＤ、サイクリックシフトＩＤ、リソース設定など）を併せて受信しうる。さらに、端末３４０は、マクロ基地局３００から、ＤＳの送信頻度の情報を取得してもよい。これにより、端末３４０は、どのスモールセル基地局から、どのようなＤＳが、どの程度の送信電力で送信されるかを知ることができる。なお、マクロ基地局３００は、これらのスモールセルに関する情報とＤＳに関する情報とを、事前に各スモールセルから受信して収集しておいてもよいし、また、マクロ基地局３００がこれらの情報を主導して決定してもよい。
【００６１】
ＤＳ測定部３４２は、スモールセル基地局３２０から送信されたＤＳを測定する。具体的には、ＤＳ測定部３４２は、例えば、ＤＳの受信電力に関する値（受信電力、受信電力対雑音電力比など）を測定する。すなわち、ＤＳ測定部３４２は、実施形態１と同様に動作する。そして、ＤＳ測定部３４２は、その測定結果を測定結果通知部３４３へ渡す。
【００６２】
測定結果通知部３４３は、受け取った測定結果の値に、ＤＳ送信電力情報３４４として受信した、ＤＳの送信電力の低減量の値を加算する。この加算結果の値は、スモールセル基地局がＤＳの送信電力を低減させなかったことを仮定した場合に期待されるＤＳの受信電力に相当する。そして、測定結果通知部３４３は、この加算結果の値を含む信号を、無線通信部３４１を介して、マクロ基地局３００に向けて送信する。
【００６３】
なお、測定結果通知部３４３は、加算結果の値が所定の条件を満たす（例えば、加算結果の値が所定の値を超える又はそれ以上である）場合にのみ、加算結果の値を含む信号をマクロ基地局３００に送信するようにしてもよい。これは、オフ状態のスモールセル基地局３２０が複数存在する場合にも適用できる。この場合、測定結果通知部３４３は、複数のオフ状態のスモールセル基地局３２０について、それぞれのＤＳの送信電力の低減量を、それぞれからのＤＳの測定結果に加算し、複数の加算結果のうちの所定の条件を満たすものについてのみ測定報告を送信する。これにより、例えばスモールセル基地局３２０がオン状態へと移行することが考えにくいような、低い値を加算結果として含む信号が不必要に送信されることを防ぐことが可能となる。なお、この条件を、スモールセル基地局３２０をオン状態へ移行させるべきとマクロ基地局３００が判断する基準と一致させてもよい。この場合、端末は、測定報告の送信だけで、スモールセル基地局３２０をオン状態へと移行させる契機をマクロ基地局３００へ与えることができる。
【００６４】
なお、スモールセル基地局３２０におけるＤＳの送信電力の低減量は、実施形態１と同様に、例えば、マクロ基地局３００によって決定され、スモールセル基地局３２０へ通知されてもよい。また、スモールセル基地局３２０がＤＳの送信電力の低減量を決定し、マクロ基地局３００へ通知することにより、マクロ基地局３００が情報３０５を取得してもよい。すなわち、マクロ基地局３００とスモールセル基地局３２０の少なくともいずれかが、さらに、ＤＳの送信電力の低減量を決定する不図示の機能を有する。
【００６５】
また、不図示の第２のスモールセル基地局からの要求が、マクロ基地局３００またはスモールセル基地局３２０のうち、ＤＳの送信電力の低減量を決定する機能を有する基地局において受信されたことに応じて、ＤＳの送信電力の低減量が変更されうる。例えば、第２のスモールセル基地局と接続中の端末が受信する信号に、スモールセル基地局３２０が送信したＤＳが干渉を及ぼす場合に、その干渉が許容量以下となるように、第２のスモールセル基地局がＤＳの送信電力の低下を要求する。そして、マクロ基地局３００またはスモールセル基地局３２０のうち、ＤＳの送信電力の低減量を決定する機能を有する基地局は、この要求を受信すると、第２のスモールセル基地局からの要求に応じて、ＤＳの送信電力の低減量を変更する。そして、ＤＳの送信電力の低減量を決定した基地局は、他方の基地局に対して、この変更後のＤＳの送信電力の低減量の情報を通知する。これにより、あるスモールセルが送信したＤＳが、他のスモールセルにおいて端末が受信する信号に与える干渉量を十分に低く抑え、他のスモールセルにおける通信品質に対する影響を抑えることが可能となる。いずれにしても、本実施形態では、いずれかの基地局で決定又は変更されたＤＳの送信電力の低減量が、端末３４０に通知される。
【００６６】
（処理の流れ）
本実施形態に係る処理の流れについて説明する。本実施形態の処理の流れは、大まかには実施形態１と同様であるため、図４を用いて説明する。本処理でも、まず、スモールセル基地局がオフ状態に移行し、マクロ基地局とスモールセル基地局との間で、ＤＳ設定情報の交換が行われる。一例において、スモールセル基地局がオフ状態において送信するＤＳの送信電力（オン状態の信号電力密度からの差分など）が交換され、場合によっては、送信頻度（周期）などが交換される。ＤＳ設定情報は、マクロ基地局が決定してスモールセル基地局へ通知してもよいし、スモールセル基地局が決定してマクロ基地局へ通知してもよい。また、ＤＳ設定情報は、他のスモールセル基地局からの要求に応じて、その内容が変更されてもよい。例えば、他のスモールセル基地局は、自らに接続されている端末における干渉電力の大きさに基づいて、その干渉電力が所定値以下となるために、どの程度ＤＳの送信電力が下げられるべきかを特定して、その特定した値を含めた要求を送信する。これにより、マクロ基地局とスモールセル基地局との少なくともいずれかは、この要求に応じて、ＤＳの送信電力を特定された値分だけ下げることができる。
【００６７】
マクロ基地局は、ＤＳ設定情報と共に、マクロセルに隣接する（含まれる）スモールセルのうちオフ状態となるスモールセル基地局のＩＤを、例えばリストとして保持するなどにより、管理する。ここで、マクロ基地局は、オフ状態の各スモールセル基地局について、それぞれにおけるＤＳの送信電力の低減量を、スモールセル基地局のＩＤと共に管理する。
【００６８】
ここで、マクロ基地局は、接続中の端末に対してその端末に宛てたデータを送信するなどの一般的な通信を行うと共に、オフ状態となったスモールセル基地局についてのＤＳ設定情報を送信する。ここでのＤＳ設定情報は、例えば、スモールセル基地局のＩＤと関連付けられて送信される。また、本実施形態においては、ＤＳ設定情報は、実施形態１で示した各種情報に加え、上述のスモールセル基地局のＤＳの送信電力の低減量の情報を含む。
【００６９】
端末は、ＤＳ設定情報を受信すると、そのＤＳ設定情報に基づいて、スモールセル基地局から送信されるＤＳを観測する。そして、端末は、そのＤＳに基づいて同期を確立し、チャネル情報を取得する。端末は、チャネル情報に基づいて、例えばＤＳの受信電力に関する値を取得し、その値に上述のＤＳの送信電力の低減量の値を加算する。すなわち、端末は、ＤＳの送信電力が低減されなかったと仮定した場合に期待されるＤＳの受信電力の値を算出する。そして、端末は、この加算結果をマクロ基地局へ報告する。なお、この報告は、例えば加算結果の値が所定の値を超える又は所定の値以上である場合にのみ、なされてもよい。また、報告を送信する基準となる所定の値は、上述のＤＳ設定情報と共に、又はそれとは別に、マクロ基地局から通知されうる。
【００７０】
端末から測定の報告を受けたマクロ基地局は、その報告結果に基づいて、スモールセル基地局をオン状態へと移行させるかの移行判定処理を行う。この移行判定処理では、例えば、報告結果に含まれる加算結果の値が所定値を超える場合に、スモールセル基地局をオン状態へと移行させるように、判定が行われる。なお、加算結果がこの所定値を超える場合にのみ端末が測定報告を送信する場合は、マクロ基地局は、この測定報告が受信されたか場合に、スモールセル基地局をオン状態へと移行させるべきと判定する。
【００７１】
マクロ基地局は、スモールセル基地局をオン状態へと移行させるべきと判定した場合、移行指示をスモールセル基地局へと送信する。なお、この指示は、オン状態への移行要求の形式で送信されてもよい。スモールセル基地局は、この移行要求（指示）を受け入れる旨の応答をマクロ基地局へ送信し、自らの状態をオフ状態からオン状態へと移行させる。その後、スモールセル基地局は、端末との間で、端末が先に確立していた同期やチャネル情報等に基づいて、接続を確立する。
【００７２】
このようにして、オフ状態にある各スモールセル基地局がＤＳの送信電力を低減して与干渉量を抑制しながら、端末がそのオフ状態にあるスモールセル基地局を認識し、そのスモールセル基地局との間で接続を確立する機会を十分に確保することが可能となる。
【図１】
2015180000.tif 000003
【図２】
2015180000.tif 000004
【図３】
2015180000.tif 000005
【図４】
2015180000.tif 000006
【図５】
2015180000.tif 000007